(57)【要約】【課題】複数の表示装置の間で、ユーザが使用可能なボタンや関連するファイルを効率よく認識することができる多層ワーク支援装置を提供する。【解決手段】多層ワーク支援装置１０では、複数のウインドウ１４０−１〜１４０−３がディスプレイ１４ａ〜１４ｃそれぞれに表示され、ウインドウ１４０−２が選択されている際に、情報アクセス装置１６ａの表示制御ボタン１８２−１が押下されると、ウインドウ１４０−１がディスプレイ１４ａから消去される。多層ワーク支援装置１０は、制御テーブルに記憶されている対象（ウインドウ）の属性に基づいて、ディスプレイ１４に表示されている複数の対象の関連性を判断し、当該複数の対象の表示を制御し、選択されている対象及び当該対象に関連する対象の双方とは異なる対象をディスプレイ１４から消去する。【選択図】図５
2007128411.tif 000002
【特許請求の範囲】
【請求項１】
複数の表示装置と、
表示制御指示手段と、
前記表示制御指示手段が押下された場合、前記表示装置に表示されている複数の対象の表示を制御する制御手段と
を有する多層ワーク支援装置。
【請求項２】
前記制御手段は、
前記表示装置に表示される対象の属性を記憶する属性記憶手段と、
前記属性記憶手段に記憶されている属性に基づいて、前記表示装置に表示されている複数の対象の関連性を判断する判断手段と、
前記判断手段による判断結果に基づいて、当該複数の対象を表示する表示手段と
を有する請求項１に記載の多層ワーク支援装置。
【請求項３】
前記表示手段は、選択されている対象及び当該対象に関連する対象の双方とは異なる対象を、前記表示装置から消去する
請求項２に記載の多層ワーク支援装置。
【請求項４】
前記表示手段は、選択されている対象及び当該対象に関連する対象の双方とは異なる対象を、縮小して表示する
請求項２に記載の多層ワーク支援装置。
【請求項５】
複数の表示装置と、
表示制御指示手段と、
前記複数の表示装置のいずれかに表示され、前記表示装置に表示される対象を指定するための指定手段と、
前記表示制御指示手段が押下された場合、前記表示装置に表示されている複数の対象、及び当該複数の対象を指定するための複数の前記指定手段の表示を制御する制御手段と
を有する多層ワーク支援装置。
【請求項６】
前記制御手段は、
前記表示装置に表示される対象の属性を記憶する属性記憶手段と、
前記属性記憶手段に記憶されている属性に基づいて、前記表示装置に表示されている複数の対象の関連性を判断する判断手段と、
前記判断手段による判断結果に基づいて、当該複数の対象、及び当該複数の対象を指定するための複数の前記指定手段を表示する表示手段と
を有する請求項５に記載の多層ワーク支援装置。
【請求項７】
前記表示手段は、選択されている対象及び当該対象に関連する対象の双方とは異なる対象と、当該異なる対象を指定するための前記指定手段とを、前記表示装置から消去する
請求項６に記載の多層ワーク支援装置。
【請求項８】
複数の表示装置と、
前記表示装置に表示される対象を制御するトリガーを記憶するトリガー記憶手段と、
前記トリガー記憶手段に記憶されているトリガーに基づいて、前記表示装置に表示されている複数の対象の表示を制御する制御手段と
を有する多層ワーク支援装置。
【請求項９】
前記制御手段は、
前記表示装置に表示される対象の属性を記憶する属性記憶手段と、
ユーザによる操作を取得する操作取得手段と、
前記操作取得手段により取得された操作と、前記トリガー記憶手段に記憶されているトリガーとに基づいて、表示制御を行うか否かを判断する表示制御判断手段と、
前記表示制御判断手段により表示制御が行われると判断された場合、前記属性記憶手段に記憶されている属性に基づいて、前記表示装置に表示されている複数の対象の関連性を判断する関連性判断手段と、
前記関連性判断手段による判断結果に基づいて、当該複数の対象を表示する表示手段と
を有する請求項８に記載の多層ワーク支援装置。
【請求項１０】
前記表示手段は、選択されている対象及び当該対象に関連する対象の双方とは異なる対象を、前記表示装置から消去する
請求項９に記載の多層ワーク支援装置。
【請求項１１】
複数の表示装置と表示制御指示手段とを有する多層ワーク支援装置において、
前記表示制御指示手段が押下された場合、前記表示装置に表示されている複数の対象の関連性を判断し、
前記判断による結果に基づいて、当該複数の対象の表示を制御する
多層ワーク支援装置の表示制御方法。
【請求項１２】
複数の表示装置を有する多層ワーク支援装置において、
前記表示装置に表示される対象を制御するトリガーを記憶し、
ユーザによる操作と、前記記憶されているトリガーとに基づいて、表示制御を行うか否かを判断し、
前記表示制御判断において表示制御が行われると判断された場合、前記表示装置に表示されている複数の対象の関連性を判断し、
前記関連性判断による結果に基づいて、当該複数の対象の表示を制御する
多層ワーク支援装置の表示制御方法。
【請求項１３】
コンピュータと複数の表示装置と表示制御指示手段とを有する多層ワーク支援装置において、
前記表示制御指示手段が押下された場合、前記表示装置に表示されている複数の対象の関連性を判断する判断ステップと、
前記判断による結果に基づいて、当該複数の対象の表示を制御する表示ステップと
を前記多層ワーク支援装置のコンピュータに実行させるプログラム。
【請求項１４】
コンピュータと複数の表示装置とを有する多層ワーク支援装置において、
前記表示装置に表示される対象を制御するトリガーを記憶するトリガー記憶ステップと、
ユーザによる操作と、前記記憶されているトリガーとに基づいて、表示制御を行うか否かを判断する表示制御判断ステップと、
前記表示制御判断において表示制御が行われると判断された場合、前記表示装置に表示されている複数の対象の関連性を判断する関連性判断ステップと、
前記関連性判断による結果に基づいて、当該複数の対象の表示を制御する表示ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
多数の業務を多層的に行うことを支援する環境が求められている。このような環境においては、ユーザは、複数のウインドウを画面に表示して作業を進めることが多い。また、作業対象が増加するほど、アイコン等もまた、画面において増加する傾向がある。
【０００３】
特許文献１においては、最終アクセス年月日からの経過時間など、そのファイルの時間属性をパラメータにして、アイコンサイズや表示色等、その表示形態を動的に変化させることにより、各アイコンの識別性を高め、所望のアイコンへのアクセスを容易ならしめる手法が開示されている。
【０００４】
また、特許文献２においては、アプリケーションやデータをアイコンとして画面上に表示可能な装置において、アイコンの保存期限等のパラメータを設定し、パラメータに応じて画面上のアイコンの表示位置を制御するアイコン表示システムが開示されている。
【０００５】
さらに、特許文献３においては、利用者が両手で操作を行うための複数の操作器と、複数の操作器からの入力を処理するためのドライバおよびアプリケーションプログラムとを持つ演算処理装置とによって、画像などの表示情報を複数のカーソルでそれぞれ選択・保持し、整理することにより、画像などの表示情報の整理・振り分けなどの操作を行う際の利便性を高くする手法が開示されている。
【０００６】
【特許文献１】特開平６−３４２３６１号公報
【特許文献２】特開２００４−３５５１９９号公報
【特許文献３】特開２００４−３５５１９１号公報
【発明の開示】
【発明が解決しようとする課題】
【０００７】
しかしながら、特許文献１〜特許文献３に開示された技術は、基本的に単一の処理系上のアイコンに対しての表示制御を行う技術であり、特許文献１〜特許文献３においては、複数の表示装置を含む処理系については開示されていない。
本発明は、複数の表示装置の間で、ユーザが使用可能なボタンや関連するファイルを効率よく認識することができる多層ワーク支援装置を提供することを目的とする。
【課題を解決するための手段】
【０００８】
上記目的を達成するために、本発明に係る第１の多層ワーク支援装置は、複数の表示装置と、表示制御ボタンと、前記表示制御ボタンが押下された場合、前記表示装置に表示されている複数の対象の表示を制御する制御手段とを有する。
【０００９】
好適には、前記制御手段は、前記表示装置に表示される対象の属性を記憶する属性記憶手段と、前記属性記憶手段に記憶されている属性に基づいて、前記表示装置に表示されている複数の対象の関連性を判断する判断手段と、前記判断手段による判断結果に基づいて、当該複数の対象を表示する表示手段とを有する。
【００１０】
好適には、前記表示手段は、選択されている対象及び当該対象に関連する対象の双方とは異なる対象を、前記表示装置から消去する。
好適には、前記表示手段は、選択されている対象及び当該対象に関連する対象の双方とは異なる対象を、縮小して表示する。
【００１１】
また、本発明に係る第２の多層ワーク支援装置は、複数の表示装置と、表示制御ボタンと、前記複数の表示装置のいずれかに表示され、前記表示装置に表示される対象を指定するための指定ボタンと、前記表示制御ボタンが押下された場合、前記表示装置に表示されている複数の対象、及び当該複数の対象を指定するための複数の前記指定ボタンの表示を制御する制御手段とを有する。
【００１２】
好適には、前記制御手段は、前記表示装置に表示される対象の属性を記憶する属性記憶手段と、前記属性記憶手段に記憶されている属性に基づいて、前記表示装置に表示されている複数の対象の関連性を判断する判断手段と、前記判断手段による判断結果に基づいて、当該複数の対象、及び当該複数の対象を指定するための複数の前記指定ボタンを表示する表示手段とを有する。
【００１３】
好適には、前記表示手段は、選択されている対象及び当該対象に関連する対象の双方とは異なる対象と、当該異なる対象を指定するための前記指定ボタンとを、前記表示装置から消去する。
【００１４】
また、本発明に係る第３の多層ワーク支援装置は、複数の表示装置と、前記表示装置に表示される対象を制御するトリガーを記憶するトリガー記憶手段と、前記トリガー記憶手段に記憶されているトリガーに基づいて、前記表示装置に表示されている複数の対象の表示を制御する制御手段とを有する。
【００１５】
好適には、前記制御手段は、前記表示装置に表示される対象の属性を記憶する属性記憶手段と、ユーザによる操作を取得する操作取得手段と、前記操作取得手段により取得された操作と、前記トリガー記憶手段に記憶されているトリガーとに基づいて、表示制御を行うか否かを判断する表示制御判断手段と、前記表示制御判断手段により表示制御が行われると判断された場合、前記属性記憶手段に記憶されている属性に基づいて、前記表示装置に表示されている複数の対象の関連性を判断する関連性判断手段と、前記関連性判断手段による判断結果に基づいて、当該複数の対象を表示する表示手段とを有する。
【００１６】
好適には、前記表示手段は、選択されている対象及び当該対象に関連する対象の双方とは異なる対象を、前記表示装置から消去する。
【００１７】
また、本発明に係る多層ワーク支援装置の第１の表示制御方法は、複数の表示装置と表示制御ボタンとを有する多層ワーク支援装置において、前記表示制御ボタンが押下された場合、前記表示装置に表示されている複数の対象の関連性を判断し、前記判断による結果に基づいて、当該複数の対象の表示を制御する。
【００１８】
また、本発明に係る多層ワーク支援装置の第２の表示制御方法は、複数の表示装置を有する多層ワーク支援装置において、前記表示装置に表示される対象を制御するトリガーを記憶し、ユーザによる操作と、前記記憶されているトリガーとに基づいて、表示制御を行うか否かを判断し、前記表示制御判断において表示制御が行われると判断された場合、前記表示装置に表示されている複数の対象の関連性を判断し、前記関連性判断による結果に基づいて、当該複数の対象の表示を制御する。
【００１９】
また、本発明に係る第１のプログラムは、コンピュータと複数の表示装置と表示制御ボタンとを有する多層ワーク支援装置において、前記表示制御ボタンが押下された場合、前記表示装置に表示されている複数の対象の関連性を判断する判断ステップと、前記判断による結果に基づいて、当該複数の対象の表示を制御する表示ステップとを前記多層ワーク支援装置のコンピュータに実行させる。
【００２０】
さらに、本発明に係る第２のプログラムは、コンピュータと複数の表示装置とを有する多層ワーク支援装置において、前記表示装置に表示される対象を制御するトリガーを記憶するトリガー記憶ステップと、ユーザによる操作と、前記記憶されているトリガーとに基づいて、表示制御を行うか否かを判断する表示制御判断ステップと、前記表示制御判断において表示制御が行われると判断された場合、前記表示装置に表示されている複数の対象の関連性を判断する関連性判断ステップと、前記関連性判断による結果に基づいて、当該複数の対象の表示を制御する表示ステップとを前記多層ワーク支援装置のコンピュータに実行させる。
【発明の効果】
【００２１】
本発明に係る多層ワーク支援装置によれば、複数の表示装置の間で、ユーザが使用可能なボタンや関連するファイルを効率よく認識することができる。
【発明を実施するための最良の形態】
【００２２】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００２３】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００２４】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
このように、多層ワーク支援装置１０において、ディスプレイ１４及び情報アクセス装置１６は表示装置を構成する。
【００２５】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００２６】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００２７】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２８】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２９】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。
なお、中継装置１１２は、サーバとして実現してもよい。また、制御装置１００がＰＣなどのネットワークアドレスを有する形で実現される場合、複数の制御装置１００は、中継装置１１２を介さず、直接ＰｔｏＰ方式で接続されてもよい。
【００３０】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００３１】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００３２】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００３３】
図３は、情報アクセス装置１６に表示されるボタン１８を例示する図である。
図３に例示するように、ボタン１８には、指定ボタン１８０−１〜１８０−ｍと、制御ボタン１８２−１〜１８２−ｎとが含まれる。これらのボタンは、押下可能な形及びサイズで表示される。情報アクセス装置１６は、これらのボタンを介してユーザにより行われる入力を受け付けて、制御装置１００上で動作する後述の表示制御プログラム２００に対して出力する。
なお、ボタン群を構成するこれらのボタンの数は、本例に限定されず、ボタンの配置も図３に示される配置に限定されない。
【００３４】
指定ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器に保持されている電子ファイル等が含まれる。
例えば、指定ボタン１８０−１は、Ｘ社のＷｅｂページをディスプレイ１４に表示させるボタンである。ユーザが指定ボタン１８０−１を押下すると、Ｘ社のＷｅｂページのウインドウ１４０−１が、ディスプレイ１４ａ〜１４ｃのいずれか（例えばディスプレイ１４ａ）に表示される。また、例えば、指定ボタン１８０−５は、「レビュー１」の電子ファイルをディスプレイ１４に表示させるボタンであり、ユーザが指定ボタン１８０−５を押下すると、「レビュー１」のウインドウ１４０−２がディスプレイ１４ａ〜１４ｃのいずれか（例えばディスプレイ１４ｂ）に表示される。
このようにして、ユーザは、所望のＷｅｂページや電子ファイルをディスプレイ１４ａ〜１４ｃに表示させ、入力装置２６及び情報アクセス装置１６ａ，１６ｂを用いて作業を行う。
【００３５】
制御ボタン１８２は、指定ボタン１８０により指定されて表示された対象に対して、所定の操作を行うボタンである。制御ボタン１８２が押下されると、表示されている対象に対する所定の演算並びに検索、及び対象の移動等の表示制御が行われる。
制御ボタン１８２−１は、ディスプレイ１４ａ〜１４ｃに表示されている複数の対象の表示を制御するためのボタンであって、表示制御ボタンとも呼ばれる。なお、表示制御ボタン１８２−１が押下された場合における多層ワーク支援装置１０の動作は、後で詳述する。また、以降、制御ボタン１８２−１〜１８２−ｎのうち、制御ボタン１８２−１を表示制御ボタン１８２−１とも記す。
【００３６】
図４は、指定ボタン１８０それぞれに割り当てられている項目を管理し、表示制御に用いられる制御テーブルを例示する図である。
図４に例示するように、制御テーブルには、指定ボタン１８０それぞれについて、ボタン名、表示名称、接続先、作成日時、作成者、アプリケーション等の属性が登録され、管理されている。制御テーブルは、制御装置１００の記憶装置１１０及びメモリ１０６の少なくともいずれかに記憶されている。
【００３７】
ボタン名は、ボタン群に含まれる指定ボタン１８０を一意に識別する識別子である。表示名称は、当該ボタンが情報アクセス装置１６に表示される際に、表示される文字列である。接続先は、当該ボタンが押下されたときにディスプレイ１４に表示される対象を示し、例えば、ＵＲＬ、ファイル等の対象が保存されている場所へのパス、ＩＰアドレス等が登録されている。ユーザは、指定ボタン１８０を押下したり、マウスでクリックしたりして、特定の接続先（例えば、Ｗｅｂページ、記憶装置１１０に保持されている電子ファイル、ネットワーク２を介して接続された他の電子機器等）の起動を指示する。
【００３８】
作成日時は、当該ボタンにより指定されるファイル等が作成された日時である。作成者は、ファイル等を作成した者である。アプリケーションは、当該ファイル等がディスプレイ１４に表示される際に起動されるソフトウェアである。
なお、制御テーブルに含まれる項目は、本例に限定されず、他の項目が制御テーブルに含まれてもよい。例えば、更新日時が制御テーブルに含まれてもよい。この場合、更新日時は、ファイル等が更新された最新の日時である。また、制御テーブルには、対象のタイトル、対象の内容である文章データ等が含まれてもよい。また、アプリケーションには、表計算ソフトなどが含まれてもよい。
【００３９】
次に、本発明に係る多層ワーク支援装置１０の理解を容易にするために、本発明の概要を説明する。
図５は、表示制御ボタン１８２−１が押下された場合における複数の対象の表示制御を説明する図である。
図５に示すように、ウインドウ１４０−１〜１４０−３がディスプレイ１４ａ〜１４ｃそれぞれに表示され、ウインドウ１４０−２が選択されている際に、情報アクセス装置１６ａの表示制御ボタン１８２−１が押下されると、ウインドウ１４０−１がディスプレイ１４ａから消去される。
【００４０】
より具体的には、多層ワーク支援装置１０は、制御テーブル（図４）に記憶されている対象の属性に基づいて、ディスプレイ１４ａ〜１４ｃに表示されている複数の対象の関連性を判断し、当該複数の対象の表示を制御する。このとき、多層ワーク支援装置１０は、選択されている対象及び当該対象に関連する対象の双方とは異なる対象を、ディスプレイ１４ａ〜１４ｃから消去する。
【００４１】
例えば、ウインドウ１４０−３は、選択されているウインドウ１４０−２と同一のアプリケーション（プレゼンテーションソフト）で動作されている点でウインドウ１４０−２と関連する。一方、ウインドウ１４０−１は、選択されているウインドウ１４０−２と関連しないと判断される。このため、ウインドウ１４０−１は、ディスプレイ１４ａから消去される。
これにより、ユーザは、現在作業中の対象と関連しない対象を視野に入れることがないので、より快適に作業することができる。
【００４２】
なお、選択されている対象及び当該対象に関連する対象の双方とは異なる対象は、縮小するように表示を制御されてもよい。例えば、ウインドウ１４０−１は、ディスプレイ１４ａにおいて最小化されてもよい。また、当該異なる対象は、ウインドウの色を変化されるように表示を制御されてもよいし、ウインドウの枠のみが表示されるように制御されてもよい。
【００４３】
関連性の判断基準は、予め設定されていればよく、アプリケーションが同一であるか否かには限定されない。関連性は、例えば、作成日時、更新日時、作成者、ファイル名、接続先等、制御テーブルに登録されている他の属性に基づいて判断されてもよい。また、消去される対象は１つに限定されず、複数であってもよい。
なお、表示制御ボタン１８２−１が押下されて対象が消去された後、表示制御ボタン１８２−１が再度押下された場合、当該消去された対象がディスプレイ１４に再度表示されてもよい。
【００４４】
次に、本発明に係る多層ワーク支援装置１０の変形例を説明する。
図６は、表示制御ボタン１８２−１が押下されて、ディスプレイ１４に表示されている複数の対象、及び当該複数の対象を指定するための複数の指定ボタン１８０の表示が制御される場合を説明する図である。
図６に示すように、ウインドウ１４０−１〜１４０−３がディスプレイ１４ａ〜１４ｃそれぞれに表示され、ウインドウ１４０−２が選択されている際に、情報アクセス装置１６ａの表示制御ボタン１８２−１が押下されると、ウインドウ１４０−１がディスプレイ１４ａから消去されるとともに、当該ウインドウ１４０−１を指定するための指定ボタン１８０−１が情報アクセス装置１６ａから消去される。
【００４５】
より具体的には、多層ワーク支援装置１０は、複数の対象の関連性を判断し、当該複数の対象の表示に加えて、これらの対象を指定する複数の指定ボタン１８０の表示も制御する。このとき、多層ワーク支援装置１０は、選択されている対象及び当該対象に関連する対象の双方とは異なる対象をディスプレイ１４ａ〜１４ｃから消去し、当該異なる対象を指定するための指定ボタン１８０を情報アクセス装置１６ａ，１６ｂから消去する。
【００４６】
例えば、ウインドウ１４０−１は選択されているウインドウ１４０−２と関連しないと判断された結果、ウインドウ１４０−１がディスプレイ１４ａから消去されるとともに、当該ウインドウ１４０−１を指定する指定ボタン１８０−１もまた情報アクセス装置１６ａから消去される。消去される対象及び指定ボタン１８０は１つずつに限定されず、複数であってもよい。
【００４７】
これにより、ユーザは、現在作業中の対象と関連しない対象を指定ボタン１８０を介して指定することがないので、関連しない対象がディスプレイ１４に表示されることが防がれることができる。また、ユーザは作業環境を整理することができ、そのとき行っている作業がどういう作業なのかを瞬時に把握することも容易になる。
【００４８】
なお、指定ボタン１８０は消去されずに、外観を変更して表示されるように制御されてもよい。例えば、指定ボタン１８０の色が変更されたり、ボタンサイズが小さくされたりしてもよいし、ボタンの形が楕円に変更されてもよい。
【００４９】
次に、本発明に係る多層ワーク支援装置の表示制御方法を実現する表示制御プログラム２００について説明する。
図７は、多層ワーク支援装置１０の制御装置１００により実行される表示制御プログラム２００の構成を示す図である。
図７に示すように、表示制御プログラム２００は、ユーザインタフェース（ＵＩ）部２０２、通信部２０４、判断部２０６、表示部２０８、制御テーブル記憶部２１０及び情報記憶部２１２を有する。表示制御プログラム２００は、これらの構成部分により、表示制御ボタン１８２−１が押下された場合、ディスプレイ１４ａ〜１４ｃに表示されている複数の対象の関連性を判断し、判断結果に基づいて、当該複数の対象の表示を制御する。このように、表示制御プログラム２００は、制御手段を構成する。
【００５０】
表示制御プログラム２００は、例えば、ネットワーク２、通信ＩＦ１０８などを介して処理装置１０２に供給され、メモリ１０６にロードされて、さらに処理装置１０２で動作するＯＳ上で、ハードウェアを具体的に利用して実行される。また、表示制御プログラム２００は、全ての制御装置１００ａ〜１００ｅにおいて実行されてもよいし、いずれかの制御装置１００において実行されてもよい。
【００５１】
表示制御プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２０８により制御された情報（画像データ等）及び各構成部分の処理内容などを、ディスプレイ１４及び情報アクセス装置１６に表示する。
【００５２】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００５３】
制御テーブル記憶部２１０は、図４に示される制御テーブルを記憶して、属性記憶手段を構成する。制御テーブル記憶部２１０は、記憶装置１１０（図２）及びメモリ１０６により実現される。
情報記憶部２１２は、指定ボタン１８０により示される接続先（Ｗｅｂページ等）の最新ファイル、文書作成ソフトウェアあるいは表計算ソフトウェアの電子ファイルなどのファイル実体を記憶する。情報記憶部２１２もまた、記憶装置１１０等により実現される。
【００５４】
判断部２０６は、ユーザが表示制御ボタン１８２を押下して行う表示制御指示をＵＩ部２０２を介して受け付け、制御テーブル記憶部２１０に記憶されている対象の属性に基づいて、ディスプレイ１４に表示されている複数の対象の関連性を判断する。判断部２０６は、この判断結果を表示部２０８に対して出力する。
【００５５】
判断部２０６は、例えばアプリケーションが同一であるか否か等、関連性の判断基準を予め記憶している。判断部２０６は、ユーザが入力装置２６又は情報アクセス装置１６を用いて入力する判断基準をＵＩ部２０２を介して受け付けてもよいし、ネットワーク２及び中継装置１１２を経由して送信された判断基準を通信部２０４を介して受け付けてもよい。
【００５６】
表示部２０８は、制御テーブル記憶部２１０に記憶されている制御テーブル、及び情報記憶部２１２に記憶されているファイル実体等を参照して、指定ボタン１８０を介して指定された対象をディスプレイ１４に表示する。表示対象は、例えば、業務を実行するためのアプリケーションソフト（表計算ソフト、文書作成ソフト、遠隔会議用ソフト等）のウインドウ表示、Ｗｅｂページの表示等を含む。
【００５７】
また、表示部２０８は、判断部２０６による判断結果に基づいて複数の対象を表示する。より具体的には、表示部２０８は、選択されている対象及び当該対象に関連する対象の双方とは異なる対象をディスプレイ１４から消去する。なお、表示部２０８は、当該異なる対象を縮小して表示してもよいし、当該異なる対象の色を変化させて表示してもよい。
【００５８】
表示部２０８は、多層ワーク支援装置１０に含まれる他の制御装置１００上で動作する表示制御プログラム２００に対して表示制御依頼を出力し、該当する対象を消去させる。表示部２０８は、表示制御依頼を受け付けた場合、当該依頼データに含まれる制御内容に基づいてディスプレイ１４に対象を表示したりディスプレイ１４から対象を消去したりする。
【００５９】
さらに、表示部２０８は、判断部２０６による判断結果に基づいて、複数の対象及び当該複数の対象を指定するための複数の指定ボタン１８０を表示してもよく、特に、選択されている対象及び当該対象に関連する対象の双方とは異なる対象をディスプレイ１４から消去し、当該異なる対象を指定するための指定ボタン１８０を情報アクセス装置１６から消去してもよい。
【００６０】
図８は、多層ワーク支援装置１０の制御装置１００において、表示制御プログラム２００により実行される表示制御処理（Ｓ１０）を示すフローチャートである。
図８に示すように、ステップ１００（Ｓ１００）において、ユーザは、ディスプレイ１４ａ〜１４ｃのいずれかに表示されている対象（ウインドウ）を選択した上で、情報アクセス装置１６に表示されている表示制御ボタン１８２−１を押下して、対象の関連性に基づいた表示制御の実行を指定する。表示制御ボタン１８２−１が押下されると、表示制御プログラムの判断部２０６は、ＵＩ部２０２を介して表示制御指示を受け付ける。
【００６１】
ステップ１０２（Ｓ１０２）において、判断部２０６は、ディスプレイ１４に表示されている複数の対象が、選択されている対象と関連するか否かを、予め設定されている判断基準に基づいて判断する。判断部２０６は、ユーザが選択した対象について、制御テーブル記憶部２１０に記憶されている制御テーブルを参照し、選択されている対象及び表示されている他の対象の属性に基づいて関連性を判断する。判断部２０６は、判断結果を表示部２０８に対して出力する。
【００６２】
ステップ１０４（Ｓ１０４）において、表示部２０８は、選択されている対象及び当該対象に関連する対象の双方とは異なる対象をディスプレイ１４から消去する。即ち、表示部２０８は、選択されている対象と関連しない対象の表示を制御する。このとき、表示部２０８は、ディスプレイ１４ａ〜１４ｃを制御する制御装置１００に対して表示制御依頼を出力する。これらの制御装置１００において、表示制御プログラム２００の表示部２０８は、表示制御依頼を受け付けると、この依頼に基づいて対象を消去する。
【００６３】
また、表示部２０８は、選択されている対象と関連しない対象を指定するための指定ボタン１８０の表示を制御してもよい。このとき、表示部２０８は、情報アクセス装置１６ａ，１６ｂを制御する制御装置１００に対して表示制御依頼を出力する。これらの制御装置１００において、表示制御プログラム２００の表示部２００は、表示制御依頼を受け付けると、この依頼に基づいて対象を指定する指定ボタン１８０を消去する。なお、表示制御依頼データは、中継装置１１２を介して制御装置１００の間で送受信されてもよいし、同一の制御装置１００内で送受信されてもよい。
【００６４】
このようにして、多層ワーク支援装置１０においては、表示制御プログラム２００により表示の制御処理が実行される。表示制御プログラム２００は、ディスプレイ１４等に表示されている複数の対象の関連性を判断して、選択されている対象と関連しない対象の表示を制御する。例えば、表示制御プログラム２００は、当該関連しない対象をディスプレイ１４から消去する。
【００６５】
以上説明したように、本発明に係る多層ワーク支援装置１０は、複数のディスプレイ１４ａ〜１４ｃ及び情報アクセス装置１６ａ，１４ｂと、表示制御ボタン１８２−１と、表示制御ボタン１８２−１が押下された場合、ディスプレイ１４等に表示されている複数の対象の表示を制御する表示制御プログラム２００を有する。特に、表示制御プログラム２００は、ディスプレイ１４等に表示される対象の属性を記憶する制御テーブル記憶部２１０と、制御テーブル記憶部２１０に記憶されている属性に基づいてディスプレイ１４等に表示されている複数の対象の関連性を判断する判断部２０６と、この判断結果に基づいて当該複数の対象を表示する表示部２０８とを有する。表示部２０８は、選択されている対象及び当該対象に関連する対象の双方とは異なる対象をディスプレイ１４等から消去する。
これにより、作業環境はより単純化されるので、ユーザは関連するファイルを瞬時に認識することができる。従って、ユーザは、より快適に作業を行うことができる。
【００６６】
また、本発明に係る多層ワーク支援装置１０は、表示制御ボタン１８２−１が押下された場合、ディスプレイ１４及び情報アクセス装置１６に表示されている複数の対象及び当該複数の対象を指定するための複数の指定ボタン１８０の表示を制御する表示制御プログラム２００を有してもよい。この場合、表示制御プログラム２００は、関連性の判断結果に基づいて当該複数の対象及び当該複数の対象を指定するための複数の指定ボタン１８０を表示する表示部２０８を有し、表示部２０８は、選択されている対象及び当該対象に関連する対象の双方とは異なる対象をディスプレイ１４から消去し、当該異なる対象を指定するための指定ボタン１８０を情報アクセス装置１６から消去する。
これにより、ユーザは使用可能なボタンや関連するファイルを瞬時に認識することができる。また、ユーザによる誤操作が防がれることができる。さらに、ユーザは、作業中の内容を瞬時に把握することも容易になる。従って、ユーザは、複数の作業をより快適に並列して処理することができる。
【００６７】
次に、本発明の第２の実施形態に係る多層ワーク支援装置１０を説明する。
本実施形態に係る多層ワーク支援装置１０は、ディスプレイ１４に表示される対象を制御するトリガーを記憶し、このトリガーに基づいて、ディスプレイ１４に表示されている複数の対象の表示を制御する点で、第１の実施形態に係る多層ワーク支援装置１０とは異なる。具体的には、トリガーは、ユーザによる所定の操作並びに入力履歴である。
【００６８】
図９は、本発明の第２の実施形態に係る多層ワーク支援装置１０による表示制御を説明する図である。
図９に示すように、ウインドウ１４０−１〜１４０−３がディスプレイ１４ａ〜１４ｃそれぞれに表示され、ウインドウ１４０−１が選択されている際に、ユーザが当該ウインドウ１４０−１に対して所定の操作等を行うと、当該ウインドウ１４０−１と関連しないウインドウ１４０−２，１４０−３が当該操作をトリガーとしてディスプレイ１４ｂ，１４ｃからそれぞれ消去される。また、多層ワーク支援装置１０は、ウインドウ１４０−２，１４０−３それぞれを指定する指定ボタン１８０−５，１８０−６を消去してもよい。
【００６９】
多層ワーク支援装置１０は、ユーザによる入力操作を監視し、記憶しているトリガーに該当する操作を受け付けた場合、表示制御を行う。トリガーは、例えばキーボードやマウスなど入力装置２６や情報アクセス装置１６に対する所定の入力操作である。例えば、トリガーが所定のキーワードの入力である場合、多層ワーク支援装置１０は、当該キーワードがキーボードを介して入力されると表示制御を行う。また、トリガーが所定のマウス操作である場合、多層ワーク支援装置１０は、当該マウス操作が入力されると表示制御を行う。
【００７０】
図１０は、本実施形態に係る多層ワーク支援装置１０で動作する表示制御プログラム３００を示す図である。
図１０に例示するように、表示制御プログラム３００は、ＵＩ部２０２、通信部２０４、入力履歴生成部３０２、表示制御判断部３０６、関連性判断部３０８、表示部２０８、トリガー記憶部３０４、制御テーブル記憶部２１０及び情報記憶部２１２を有する。表示制御プログラム３００は、これらの構成により、ディスプレイ１４に表示される対象を制御するトリガーを記憶し、このトリガーに基づいてディスプレイ１４に表示されている複数の対象の表示を制御する。なお、図１０に示された各構成のうち、図７に示された構成と実質的に同一のものには同一の符号が付されている。
【００７１】
入力履歴生成部３０２（操作取得手段）は、ユーザが入力装置２６及び情報アクセス装置１６を用いて行う操作（キーボード操作及びマウス操作を含む）をＵＩ部２０２を介して受け付けて取得し、入力履歴を生成して表示制御判断部３０６に対して出力する。入力履歴生成部３０２は、生成した入力履歴を記憶装置１１０やメモリ１０６に記憶して保持する。生成された入力履歴は、所定の方式により解析されうる。
【００７２】
表示制御判断部３０６は、入力履歴生成部３０２により生成された入力履歴を受け付け、ユーザによる操作と、後述するトリガー記憶部３０４に記憶されているトリガーとに基づいて、表示制御を行うか否かを判断する。表示制御判断部３０６は、表示制御を行うと判断した場合、その旨を関連性判断部３０８に対して出力する。
関連性判断部３０８は、ユーザによる操作がトリガーに該当する場合、制御テーブル記憶部２１０に記憶されている対象の属性に基づいて、ディスプレイ１４に表示されている対象の関連性を判断し、判断結果を表示部２０８に対して出力する。
【００７３】
トリガー記憶部３０４は、ディスプレイ１４に表示される対象を制御するトリガーを記憶する。トリガーは、キーボードによる所定のキーワードの入力もしくは所定のキーの押下、所定のマウス操作、又は所定のキーを押下しながらのマウス操作等である。なお、トリガー記憶部３０４は、表示制御プログラム３００に含まれていなくてもよく、表示制御プログラム３００は、多層ワーク支援装置１０に含まれる記憶装置１１０等に記憶されているトリガー、又は他のプログラムにより保持されているトリガーを参照してもよい。トリガー記憶部３０４は、記憶装置１１０及びメモリ１０６により実現される。
【００７４】
図１１は、本実施形態に係る多層ワーク支援装置１０の制御装置１００において、表示制御プログラム３００により実行される表示制御処理（Ｓ２０）を示すフローチャートである。なお、図１１に示された各処理のうち、図８に示された処理と実質的に同一のものには同一の符号が付されている。
図１１に示すように、ステップ２００（Ｓ２００）において、ユーザは、ディスプレイ１４ａ〜１４ｃのいずれかに表示されている対象（ウインドウ）を選択した上で、入力装置２６及び情報アクセス装置１６を用いて入力操作を行う。多層ワーク支援装置１０に対して入力が行われると、表示制御プログラム３００の入力履歴生成部３０２は、ＵＩ部２０２を介してユーザによる操作を取得する。入力履歴生成部３０２は、受け付けられた入力操作から入力履歴を生成して表示制御判断部３０６に対して出力する。
【００７５】
ステップ２０１（Ｓ２０１）において、表示制御判断部３０６は、ユーザによる操作が、トリガー記憶部３０４に記憶されているトリガーに該当するか否かを判断する。
ユーザによる操作がトリガーに該当する場合、Ｓ１０２の処理において、関連性判断部３０８により、選択されている対象と他の対象との関連性が判断され、Ｓ１０４の処理において、表示部２０８により、選択されている対象に関連しない対象の表示が制御される。例えば、当該関連しない対象は、ディスプレイ１４から消去される。また、このとき、関連しない対象を指定する指定ボタン１８０が、情報アクセス装置１６から消去されてもよい。
【００７６】
以上説明したように、本発明の第２の実施形態に係る多層ワーク支援装置１０は、ディスプレイ１４に表示される対象を制御するためのトリガーを記憶し、ユーザによる操作と、このトリガーに基づいてディスプレイ１４に表示されている複数の対象の表示を制御する。特に、多層ワーク支援装置１０は、ディスプレイ１４に表示される対象の属性を記憶し、ユーザによる操作を取得し、取得された操作と、記憶されているトリガーとに基づいて、表示制御を行うか否かを判断し、表示制御が行われると判断された場合、記憶されている属性に基づいて、ディスプレイ１４に表示されている複数の対象の関連性を判断し、この判断結果に基づいて当該複数の対象を表示する。
これにより、ユーザが表示制御を指示しない場合においても、作業環境はより単純化されるので、ユーザはユーザ自身が表示制御の指示をしなくても、使用可能なボタンや関連するファイルを瞬時に認識することができる。
【図面の簡単な説明】
【００７７】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン１８を例示する図である。
【図４】指定ボタン１８０それぞれに割り当てられている項目を管理し、表示制御に用いられる制御テーブルを例示する図である。
【図５】表示制御ボタン１８２−１が押下された場合における複数の対象の表示制御を説明する図である。
【図６】表示制御ボタン１８２−１が押下されて、ディスプレイ１４に表示されている複数の対象、及び当該複数の対象を指定するための複数の指定ボタン１８０の表示が制御される場合を説明する図である。
【図７】本発明の第１の実施形態に係る多層ワーク支援装置１０の制御装置１００により実行される表示制御プログラム２００の構成を示す図である。
【図８】多層ワーク支援装置１０の制御装置１００において、表示制御プログラム２００により実行される表示制御処理（Ｓ１０）を示すフローチャートである。
【図９】本発明の第２の実施形態に係る多層ワーク支援装置１０による表示制御を説明する図である。
【図１０】本発明の第２の実施形態に係る多層ワーク支援装置１０で動作する表示制御プログラム３００を示す図である。
【図１１】多層ワーク支援装置１０の制御装置１００において、表示制御プログラム３００により実行される表示制御処理（Ｓ２０）を示すフローチャートである。
【符号の説明】
【００７８】
２ ネットワーク
１０ 多層ワーク支援装置
１２ 装置本体
１４ ディスプレイ
１６ 情報アクセス装置
１８ ボタン
２２ 入出力ＩＦ
２６ 入力装置
４０ 脚部
１００ 制御装置
１０２ 処理装置
１０４  ＣＰＵ
１０６ メモリ
１０８  通信ＩＦ
１１０ 記憶装置
１１２ 中継装置
１８０ 指定ボタン
１８２−１  表示制御ボタン
２００ 表示制御プログラム
２００ 表示部
２０２ ＵＩ部
２０４ 通信部
２０６ 判断部
２０８ 表示部
２１０ 制御テーブル記憶部
２１２ 情報記憶部
３００ 表示制御プログラム
３０２ 入力履歴生成部
３０４ トリガー記憶部
３０６ 表示制御判断部
３０８      関連性判断部
【図１】
2007128411.tif 000003
【図２】
2007128411.tif 000004
【図３】
2007128411.tif 000005
【図４】
2007128411.tif 000006
【図５】
2007128411.tif 000007
【図６】
2007128411.tif 000008
【図７】
2007128411.tif 000009
【図８】
2007128411.tif 000010
【図９】
2007128411.tif 000011
【図１０】
2007128411.tif 000012
【図１１】
2007128411.tif 000013